(57)【特許請求の範囲】
【請求項１】
ボタンを取り付け部へ取り付ける手段となる糸足又は糸孔を有するボタンであって、
ボタン本体と、ボタン本体の外面に露出する糸穴状部分及び糸穴状部分の縁飾りとして糸穴状部分に嵌合して固定される鳩目状リングとを有し、糸穴状部分の内周面と鳩目状リングの外周面には、相互に噛み合い固定力を増す固定手段を有し、前記固定手段は、鳩目状リングの嵌合方向の縦方向の溝条と、上記縦方向に対して交差方向の突条であり、上記縦方向の溝条と交差方向の突条を、糸穴状部分の内周面又は鳩目状リングの外周面に形成し、かつ、前記ボタン本体は非金属からなり、鳩目状リングはプラスチックからなることを特徴とする飾り鳩目を有するボタン。
【請求項２】
ボタン本体は、ボタンを取り付け部へ取り付ける手段となる糸足又は糸孔を有する下型
と、上記下型と組み合わされて１個のボタンを構成する上型とから成り、
下型と上型とは互いに嵌まり合う結合構造によって一体不離の状態に組み合わされていることを特徴とする請求項１記載の飾り鳩目を有するボタン。
【請求項３】
上型の外面は、シート状のクルミ部材によって包まれ、クルミ部材の表面から鳩目状リングが糸穴状部分に嵌め込み固定されている請求項１記載の飾り鳩目を有するボタン。
【発明の詳細な説明】
【技術分野】
【０００１】
本発明は、ボタンを取り付け部へ取り付ける手段となる糸足又は糸孔と飾り鳩目を有するボタンに関するものである。
【背景技術】
【０００２】
ボタンは実用品であるが、装飾的要素の少なくない物品でもあり、そのため様々な工夫が盛り込まれている。例えば、特開平９−３１３号の発明は、平丸ボタンにねじによって結合して用いる飾りボタンを提案している。同様のものは実開平７−３３１４号の考案にも見られるが、このようなねじ結合構造を取る場合、接着しなければゆるんで外れる可能性があり、また包みボタン（クルミボタン）の場合にはねじ込んだときにクルミ材のカバーがねじれてしまう恐れもある。
【０００３】
また、糸孔を有するボタンでは、糸孔の部分に金属部品からなるいわゆる鳩目型の部品を嵌め込んでアクセントを与えたものがあり、例えば登録実用新案第３１２８０９８号はその一例である。同号の考案にも見られるように、糸孔にボタン孔金具と称する金属部品からなる鳩目を嵌めこんでおり、そのため検針機による検査において金属鳩目が検出され縫製品が撥ねられてしまうという問題があった。
【０００４】
【特許文献１】特開平９−３１３号
【特許文献２】実開平７−３３１４号
【特許文献３】登録実用新案第３１２８０９８号
【発明の開示】
【発明が解決しようとする課題】
【０００５】
本発明は前記の点に着目してなされたもので、その課題は、ボタン本体に取り付けて飾りとなる飾り鳩目を有するボタンを提供することである。また、本発明の他の課題は、検針機による検査に対応可能な飾り鳩目を有するボタンを提供することである。また、本発明の他の課題は、飾りの機能とともに実用の糸孔の機能を兼ね備えた飾り鳩目を有するボタンを提供することである。
【課題を解決するための手段】
【０００６】
前記の課題を解決するため本発明は、ボタンを取り付け部へ取り付ける手段となる糸足又は糸孔を有するボタンであって、
ボタン本体と、ボタン本体の外面に露出する糸穴状部分及び糸穴状部分の縁飾りとして糸穴状部分に嵌合して固定される鳩目状リングとを有し、糸穴状部分の内周面と鳩目状リングの外周面には、相互に噛み合い固定力を増す固定手段を有し、前記固定手段は、鳩目状リングの嵌合方向の縦方向の溝条と、上記縦方向に対して交差方向の突条であり、上記縦方向の溝条と交差方向の突条を、糸穴状部分の内周面又は鳩目状リングの外周面に形成し、かつ、前記ボタン本体は非金属からなり、鳩目状リングはプラスチックからなるという手段を講じたものである（請求項１記載の発明）。
【０００７】
本発明に係るボタンは、ボタン本体と、その外面に露出する糸穴状部分とを有する。糸穴状部分は糸孔そのものである場合と、糸孔ではなく飾りに過ぎないものである場合とを含むので、これらを総称して糸穴状部分というものである。従って、糸穴状部分はボタン本体を貫通しているとは限らず、凹んでいるだけのものを含むが、どちらの場合でも糸穴状部分に本発明における飾り鳩目が設けられる。
【０００８】
そのため、上記の糸穴状部分には鳩目状リングを固定する。鳩目状リングは、糸穴状部分に嵌まり込む筒状の部分と、糸穴状部分の縁に露出して飾りとなるリング状の部分とを有する。リング状の部分は、従来の金属製鳩目の止めリングように、筒状の部分よりも太目の形態を有していることが飾りとして望まれる。上記鳩目状リングは、糸穴状部分の縁飾りとしてボタン本体に対比される色調を有していることが望ましい。例えば金属製鳩目は真鍮を素材とするため金色であり、真ちゅう製のボタンを除くボタン本体の多くの色との関係において明らかな対比を得易い。ここでボタン本体の色とは、ボタン本体の地色であるとは限らず、クルミボタンではクルミ材の色であり、また、塗装されたボタンでは塗色である。
【０００９】
上記糸穴状部分の内周面と鳩目状リングの外周面には、相互に噛み合い固定力を増す固
定手段を有している。上記固定手段は、鳩目状リングの嵌合方向の縦方向の溝条と、上記
縦方向に対して交差方向の突条であり、上記縦方向の溝条と交差方向の突条を、糸穴状部
分の内周面又は鳩目状リングの外周面に形成した構造を有することが望ましい。縦方向の溝条は、嵌合軸に対して傾斜していても良く、交差方向の突条もまた周方向に対して傾斜していて良い。
【００１０】
上記ボタン本体が非金属からなり、鳩目状リングがプラスチック製である組み合わせを
取ることは望ましい選択である。この構成の場合、鳩目状リングを例えば金属色を呈するように着色ないしはフロックなどの装飾材を混合したナイロン等のプラスチックにより形成し、これを、プラスチックを素材とするボタン本体の糸穴状部分に嵌め込む構成を取ることができる。従って、金属部品を含まず検針機に反応しないため、いわゆる検針機対応のボタンを提供することができる。
【００１１】
このような構成を有する本発明のボタンは、単一部品からなるものとすることができる
（図１、図２参照）。また、ボタン本体が、ボタンを取り付け部へ取り付ける手段となる
糸足又は糸孔を有する下型と、上記下型と組み合わされて１個のボタンを構成する上型と
からなり、下型と上型とは互いに嵌まり合う結合構造によって一体不離の状態に組み合わ
されている複数部品からなるボタンとして提供することも可能であり、上型の外面は、シート状のクルミ部材によって包まれ、クルミ部材の表面から鳩目状リングが糸穴状部分に嵌め込み固定されている形態を取ることも可能である（図５参照）。
【００１２】
なお、本発明のボタンは、ボタンを取り付け部へ取り付ける手段となる糸足又は糸孔を有しており、その上でボタン本体の外面に露出する糸穴状部分に固定される鳩目状リングを有しているものである。従って、鳩目状リングで装飾されたボタンであるにも拘らず、糸足によって被服などに取り付ける構造を取ることもでき、糸孔では取り付けにくい箇所にも糸穴状部分による装飾を有するボタンを取り付けられる利点がある。
【発明の効果】
【００１３】
本発明は以上のように構成されかつ作用するものであるから、ボタン本体に取り付けて飾りとなる飾り鳩目を有するボタンを提供することができる。また、本発明によれば、検針機による検査に対応可能な飾り鳩目を有するボタンを提供することができる。また、本発明によれば、飾りとともに実用の糸孔の機能を兼ね備えた飾り鳩目を有するボタンを提供することができる。
【発明を実施するための最良の形態】
【００１４】
以下図示の実施形態を参照して本発明をより詳細に説明する。図１及び図２は本発明に係る飾り鳩目を有するボタンに関する例１のボタン１０を示すもので、糸孔そのものがボタン１０を取り付け部へ取り付ける手段となるボタンの例である。
【００１５】
例１のボタン１０は、凸レンズ状の外面を有するボタン本体１１と、ボタン本体１１の直径方向における外面中央部に並列して形成した、当該ボタン本体１１を貫通する２個の糸孔１２、１２を有している。例１における２個の糸孔１２、１２はボタンを取り付け部へ取り付ける手段であり、かつ縁飾りとして外面に露出する糸穴状部分１３、１３でもある。従って例１のボタン１０は糸足を必要としない。
【００１６】
上記の糸孔１２、１２或いは糸穴状部分１３、１３には、固定手段の一方として多数の縦方向の溝条１４、１４が形成されており、夫々に嵌め込まれる鳩目状リング１５、１５との固定力を高めている。鳩目状リング１５は本発明における飾り鳩目を構成するものであり、糸穴状部分１３に嵌まり込む円筒状の部分１５ａと、糸穴状部分１３の縁に係止して露出し飾りとなる太い円形のリング状の部分１５ｂとを有するとともに、その円筒状の部分１５ａには、固定手段の他方として多数の周方向の突条１６が形成され、縦方向の溝条１４、１４との噛み合いにより抜け出さないように固定力を増している。上記鳩目状リング１５は一例として明色であり、糸穴状部分１３の縁飾りとしてボタン本体１１の外面の暗色に対比される色調を有している。
【００１７】
例１において、ボタン本体１１は中実つまり中空ではない構造になっている。この例１のボタンでは、２個の糸孔１２、１２に夫々鳩目状リング１５、１５を嵌め込んで組み立てる。このような組立作業は、従来のボタン製造に用いられたのと同様のハンドプレスを用いて行なうことができ、縦方向の溝条１４、１４と周方向の突条１６が交差して相互に噛み合い、鳩目状リング１５、１５が抜け出さないように固定される。
【００１８】
組み立てられた本発明に係るボタン１０の場合、ボタン本体１１を貫通する２個の糸孔１２、１２を有しており、これらを実際の糸孔に利用して取り付け部へ取り付けることになる。例１のボタン１０では、糸孔１２に鳩目状リング１５が嵌め込まれて形成されており、それが糸穴状部分１３の縁飾りとしてボタン本体１１に対比される色調を醸し出し、飾り鳩目として装飾的効果を発揮する。なお、取り付け糸がかかる箇所は鳩目状リング１５と同色の糸を用いることによって、鳩目状リング１５の装飾的効果を損なわずに済むようになる。
【００１９】
図３ないし図５は本発明に係る飾り鳩目を有するボタンに関する例２のボタン２０を示すもので、糸穴状部分２３を有するだけで糸孔は有していないボタンの例である。例２において、ボタン２０を取り付け部へ取り付ける手段としては、糸足２２が下型に設けられる。従って例２のボタン２０では糸足を必要としない。
【００２０】
例２のボタン２０は、凸レンズ状の外面を有する上型に相当するボタン本体２１と、ボタン本体２１の直径方向における外面中央部に均等に形成した、当該ボタン本体２１を貫通する四角形の糸穴状部分２３を４個有している。例２における４個の糸穴状部分２３〜２３はボタンを取り付け部へ取り付ける手段としては使うことができない純粋な飾りである。
【００２１】
上記の糸穴状部分２３〜２３には、一方の固定手段として縦方向の溝条２４が多数形成されており、そこに嵌め込まれ、本発明における飾り鳩目を構成する鳩目状リング２５〜２５との固定力を高めている。各鳩目状リング２５は、糸穴状部分２３に嵌まり込む四角形の角筒状の部分２５ａと、糸穴状部分２３の縁に係止して露出し飾りとなる大型の四角形のリング状の部分２５ｂとを有しており、角筒状の部分２５ａには、他方の固定手段として周方向の突条２６を有し、縦方向の溝条２４、２４との噛み合いにより抜け出さないように固定力を増している。なお鳩目状リング２５は明色とし、糸穴状部分２３の縁飾りとしてボタン本体２１の外面の暗色に対比される色調としているが、具体的な色調は任意に選択することができる。
【００２２】
例２では、ボタン本体２１の裏面に中央隆起部２７があり、その周囲がドーナツ状の中空な部分２８になっており、中空の部分２８を同じくドーナツ状の下型２９により覆うように構成されている。中空な部分２８には縦方向の筋条２７ａを有する凹部２７ｂが直径方向の線上に２箇所形成され、それらと噛み合う周方向の筋条２８ａを有し、かつまた凹部２７ｂと嵌合する凸部２８ｂが下型２９のドーナツ状部分に２箇所形成されている。縦方向の筋条２７ａを有する凹部２７ｂと、周方向の筋条２８ａを有する凸部２８ｂとが、下型と上型の結合構造を構成することになる。例２において下型２９は、ボタンを被服などの取り付け部へ取り付ける手段となる糸足２２を具備する。なお、図５において、３０はクルミ部材を示す。
【００２３】
例２のボタン２０の場合には、ボタン本体２１には裏面からドーナツ状の下型２９を嵌め込み、また、４個の糸穴状部分２３〜２３に鳩目状リング２５〜２５を嵌め込んで組み立てる。しかしクルミボタンの場合には、鳩目状リング２５〜２５を嵌め込む前に、クルミ部材３０を用いてボタン本体２１を包んでおくことは当然である。このような組立作業も従来と同様で良く、例えばハンドプレス等を用いて行なうことができる。組み立てられた本発明に係るボタン２０は、ボタン本体２１を貫通する手段として１個の糸足２２を有しており、これを利用してボタン２０の取り付け部への取り付けを行なうものである。
【００２４】
上記の例１及び例２のどちらの例においても、鳩目状リング１５、２５には、金属光沢を有するナイロンを用いている。また、ボタン本体の材質として、例１、例２共にプラスチックを用いている。よって、例１及び例２のどちらの場合も検針機に対応している。なお、例２のボタン２０の場合には、上型のボタン本体２１と下型２９で、異なる色彩や模様を選択することも可能であり、クルミボタンとは異なる装飾的効果のあるボタンを得ることができる。
【図面の簡単な説明】
【００２５】
【図１】本発明に係る飾り鳩目を有するボタンの例１示すもので、Ａは斜視図、Ｂは裏面図である。
【図２】同上の分解斜視図である。
【図３】同じく本発明の例２示すもので、Ａは斜視図、Ｂは裏面図である。
【図４】同上の分解斜視図である。
【図５】同上の組み立て前後を説明する断面図である。
【符号の説明】
【００２６】
１０、２０  ボタン
１１、２１  ボタン本体
１２  糸孔
１３、２３  糸穴状部分
１４、２４  縦方向の溝条
１５、２５  鳩目状リング
１６、２６  周方向の突条
２２  糸足
２７  中央隆起部
２８  ドーナツ状の中空な部分
２９  下型
３０  クルミ部材
【図１】
0004789911.tif 000002
【図２】
0004789911.tif 000003
【図３】
0004789911.tif 000004
【図４】
0004789911.tif 000005
【図５】
0004789911.tif 000006